(57)【要約】本発明は自己浄化洗濯機及びその制御方法に関するものであり、洗濯機は、外槽（１）と、内槽（２）と、波輪（３）と、排水装置（４）とを備え、内槽（２）と外槽（１）との間のチャンバ（５）には外槽内壁及び内槽外壁を浄化する洗浄粒子（６）が設けられて、前記洗濯機には、洗浄粒子（６）がチャンバ（５）から離れることを阻止する離間構造が設けられ、当該離間構造は、排水装置（４）内に設けられて排水時に洗浄粒子（６）が排出されることを遮断する濾過機構（７）、及び／或いは内槽底部に設けられ内槽底から洗浄粒子（６）が内槽（２）に侵入することを遮断する格子機構（８）を備えており、外槽溢水口（１１）に設けられ洗浄粒子（６）が溢水につれて流出することを遮断する濾過格子（９）と外槽の上部に設けられチャンバ（５）の環形開口を遮蔽する外槽カバー（１０）とをさらに備える。洗浄が終了した時、排水過程及び／或いは脱水過程において、内槽（２）が異なる動作を実行するように制御して、洗浄粒子（６）は洗浄水とともに排水口を流れて排水弁（４４）に収集される。本発明は構成が簡単であり、内、外槽の間の槽壁を効果的に洗浄でき、洗浄粒子の数量を減少できる。【選択図】図３
2015523878.tif 000002
【特許請求の範囲】
【請求項１】
外槽と、内槽と、波輪と、排水装置とを備え、内槽と外槽との間のチャンバには外槽内壁及び内槽外壁を浄化する洗浄粒子が設けられている自己浄化洗濯機において、
前記洗濯機に洗浄粒子がチャンバから離れることを阻止する離間構造が設けられ、当該離間構造は、排水装置内に設けられて排水時に洗浄粒子が排出されることを遮断する濾過機構、及び／或いは内槽底部に設けられて内槽底から洗浄粒子が内槽に侵入することを遮断する格子機構を備えていることを特徴とする自己浄化洗濯機。
【請求項２】
前記排水装置は、脱水時に洗浄粒子を収容し、給水時に浮力によって洗浄粒子が前記チャンバに浮かんで槽壁を浄化する粒子収納チャンバ及び排水チャンバを備え、前記濾過機構が粒子収納チャンバ及び排水チャンバの間に設けられていることを特徴とする請求項１に記載の自己浄化洗濯機。
【請求項３】
前記濾過機構は洗浄粒子を遮断する多数のストッパ筋を備えており、ストッパ筋は両グループに分けて、両グループのストッパ筋の間は洗浄粒子よりサイズが小さい切り欠きであり、両グループのストッパ筋の延出線が順次交互に設けられて、同グループの隣接する両ストッパ筋の間は洗浄粒子よりサイズが小さい濾過間隙であることを特徴とする請求項２に記載の自己浄化洗濯機。
【請求項４】
前記両グループストッパ筋は上下或いは左右に対面設置であって、その間は横方向或いは縦方向の切り欠きであり、一方のグループのストッパ筋の延出線と他方のグループのストッパ筋は縦方向に順次交互に設けられており、両グループのストッパ筋が位置する直線が平行し、隣接する両直線間のピッチが同じであることを特徴とする請求項３に記載の自己浄化洗濯機。
【請求項５】
粒子収納チャンバ一側に対応して構成する前記両グループのストッパ筋の濾過面は、切り欠きにおいて他側に凹む円弧面或いは傾斜面であり、濾過面が底部が切断されたＶ字形或いは逆ハ字形に構成されていることを特徴とする請求項３または４に記載の自己浄化洗濯機。
【請求項６】
前記格子機構は、フランジに合わせて内槽底中空区域から洗浄粒子が内槽に侵入することを遮断する遮断カバーを備え、遮断カバーには洗浄粒子が通過することを遮断できる通水穴が設けられていることを特徴とする請求項１に記載の自己浄化洗濯機。
【請求項７】
前記遮断カバーは中空の環形カバー形であり、フランジ本体が当該遮断カバーを塞ぐ中空位置に対応し、フランジ本体の直径をｄ、内槽底部中空区域の内径をＤ、遮断カバーの内径をｄ１、その外径をｄ２とする場合に、ｄ１≦ｄ＜Ｄ≦ｄ２或いはｄ１≦ｄ＜ｄ２＜Ｄの条件を満足し、且つ内槽底部中空区域の内径Ｄと遮断カバー外径のｄ２の差は、洗浄粒子の大きさが内槽底部中空区域の縁と遮断カバー外縁との間のスリットから通過しないような条件を満足していることを特徴とする請求項６に記載の自己浄化洗濯機。
【請求項８】
前記遮断カバーは独立な構成であって、内槽底とフランジとの間に介在または接着され、或いは、遮断カバーと内槽底は一体構成であり、或いは、遮断カバーとフランジは一体構成であり、或いは、遮断カバーと内槽底とフランジとの三方は一体構成であることを特徴とする請求項６または７に記載の自己浄化洗濯機。
【請求項９】
洗濯機の内槽底の外部には、洗浄粒子が水流につれて侵入されて運動して運動加速度を得て内、外槽底間壁に衝突、摩擦して浄化する粒子運動空間が設けられており、当該粒子運動空間は内槽底外部の補強筋からなる多数の凹槽であり、補強筋と外槽底との間の間隙は洗浄粒子が水流につれて侵入することを満足し、凹槽の大きさは少なくとも二つの洗浄粒子が置かれることを満足していることを特徴とする請求項１に記載の自己浄化洗濯機。
【請求項１０】
前記凹槽は、補強筋の個数を減少することにより凹槽の体積を増加させ、或いは両補強筋の間の補強筋の高さを下げることにより当該高さが下げられた補強筋が洗浄粒子の運動に影響を及ぼさないことを特徴とする請求項９に記載の自己浄化洗濯機。
【請求項１１】
前記離間構造は外槽溢水口に設けられ洗浄粒子が溢水につれて流出することを遮断する濾過格子をさらに備え、前記濾過格子と外槽とは一体射出の構成或いは別体式の構成であり、好ましくは、濾過格子と外槽は挿脱式の構成であり、溢水口両側にソケットが設けられ、濾過格子がソケットに挿入されている、或いは、濾過格子と外槽はクリック構成であることを特徴とする請求項１に記載の自己浄化洗濯機。
【請求項１２】
前記濾過格子は、溢水口に合わせる筐体と筐体内に設けられるバリア筋とを備えており、バリア筋は両グループに分けられて、両グループのバリア筋の間は洗浄粒子よりサイズが小さい仕切間隙であり、同グループの隣接する両バリア筋の間は洗浄粒子よりサイズが小さいスリットであり、外槽の内側に対応して構成する両グループのバリア筋の濾過面は、バリア筋方向に沿って仕切間隙において他側に凹む円弧面或いは傾斜面であることを特徴とする請求項１１に記載の自己浄化洗濯機。
【請求項１３】
前記離間構造は、外槽の上部に設けられてチャンバ環形開口を遮蔽する外槽カバーを備え、外槽カバーは環形開口に対応してチャンバ内の洗浄粒子数量を補充する粒子投入口が設けられている、好ましくは、当該粒子投入口には、開閉可能の遮蔽カバーが設けられていることを特徴とする請求項１に記載の自己浄化洗濯機。
【請求項１４】
前記波輪は自己浄化波輪であって、パルセータとパルセータの上表面に設けられる撥水翼とを備えており、撥水翼の頂部には、少なくとも一つの透水穴が設けられて、撥水翼の底部に対応して通じる、好ましくは、撥水翼はパルセータの縁に近い位置において円周方向に沿って多数の透水穴が分布されており、波輪中心に近い撥水翼の一端には、半径方向に沿って少なくとも二つの透水穴が分布されていることを特徴とする請求項１に記載の自己浄化洗濯機。
【請求項１５】
前記パルセータの下面には、パルセータ補強筋からなる多数の凹槽空間が設けられており、撥水翼を対応の範囲の外部の凹槽空間毎に少なくとも一つの透水穴が設けられて、当該凹槽空間の上、下方向に洗い流す水流を形成することを特徴とする請求項１４に記載の自己浄化洗濯機。
【請求項１６】
洗濯機が動作時に、洗浄粒子が水流につれて運動して内、外槽の間の槽壁を浄化する請求項１〜１５のいずれか一項に記載の前記自己浄化洗濯機の制御方法において、
排水過程及び／或いは脱水過程において、内槽が異なる動作を実行するように制御して、洗浄粒子が洗浄水とともに排水口を流して排水弁に収集されることを特徴とする自己浄化洗濯機の制御方法。
【請求項１７】
排水過程において、内槽が回動することにより、内、外槽壁の間に引っ掛った洗浄粒子を内、外槽の間のチャンバ内に落させて外槽中の水とともに排水口を流れて排水弁に収集されることを特徴とする請求項１６に記載の自己浄化洗濯機の制御方法。
【請求項１８】
排水過程において、内槽は５〜５０ｒ／ｍｉｎという低回転速度で回転することを特徴とする請求項１７に記載の自己浄化洗濯機の制御方法。
【請求項１９】
脱水段階において、内槽が少なくとも一次制動動作を実行するように制御し、内、外槽壁の間に引っ掛った洗浄粒子を内、外槽の間に落させて、洗濯物の排出した水とともに排水口を流れて排水弁に収集されることを特徴とする請求項１６または１７に記載の自己浄化洗濯機の制御方法。
【請求項２０】
脱水段階において、中速で洗濯物を脱水させて得た水で洗浄粒子を洗い流すことと、高速での脱水及び制動を少なくとも一回行うことと、終了まで最高の回転速度で脱水することを含み、その中、脱水プログラムの総時間により当該段階における各動作の時間配分が決められることを特徴とする請求項１９に記載の自己浄化洗濯機の制御方法。
【請求項２１】
脱水段階において、設定された給水時間を実行し、水洗水流量を増加して洗浄粒子が排水口を介して排水弁に侵入することを補助することを特徴とする請求項２０に記載の自己浄化洗濯機の制御方法。
【請求項２２】
脱水段階の具体的なステップは、
ａ、排水が終了した時に、まずは内槽を中速で洗濯物を脱水させ、１０〜６０秒間を稼働させ、或いは中速で２〜５秒間を稼働させて５〜１５秒間停止させるという法則を２〜８回繰り返し、服の水のほとんどを排出して、外槽底部に残した粒子を排水弁まで洗い流す；
ｂ、内槽を高速に加速させた後１０〜２０秒間以内に停止させて、内槽底に引っ掛った粒子を振るい落とす；
ｃ、ステップｂを１〜６回繰り返す；
ｄ、最高の回転速度で脱水させて終了することを特徴とする請求項１９に記載の自己浄化洗濯機の制御方法。
【請求項２３】
設定値より洗浄服の数が低いと、ステップｃは、５〜１５秒間給水することになり、ステップａを繰り返してステップｂを繰り返すことを特徴とする請求項２２に記載の自己浄化洗濯機の制御方法。
【請求項２４】
脱水段階において、中速は２００〜５００ｒｐｍであり、高速は５００〜７００ｒｐｍであり、最高の回転速度は７００〜１６００ｒｐｍであることを特徴とする請求項２０〜２３のいずれか一項に記載の自己浄化洗濯機の制御方法。 
【発明の詳細な説明】
【技術分野】
【０００１】
本発明は洗濯機の技術分野に関するもので、特に内、外槽の間で、洗浄粒子により水流につれて内、外槽の間における槽壁を自動的に洗浄する自己浄化洗濯機及びその洗浄粒子を収集する制御方法に関するものである。
【背景技術】
【０００２】
従来の波輪洗濯機は、内、外槽の間が密閉する環境であり、水流しか通せなくなっており、洗濯機における上述した構成の限界と使用環境の特殊性により、３〜５ヶ月使用後、内槽外壁と外槽内壁に汚れが付着し、異なる程度の細菌が繁殖してしまい、繁殖した細菌のほとんどは人体に有害である。
【０００３】
人類の生活レベルの向上及び生活品質に応じる要求の向上に伴い、洗濯機の衛生問題の解决は極めて切実であると思われている。関連科学研究機関による洗濯機内部環境の調査情況によって、洗濯機内部汚染の厳重性はますます消費者に重視されている。徹底的に洗濯機による洗浄物の二次汚れが避けられるとともにユーザの健康により配慮するために、洗濯機内部環境を浄化することは既に差し迫った問題になっている。
【０００４】
中国特許２００８２０１８３３０８．４は、内槽と、外槽と、内、外槽壁を浄化する多数の円形シリカゲルボールとを備え、洗濯する際に内槽が回転することによる水の流動によって、洗濯機の内槽と外槽との間のシリカゲルボールを動かして内、外槽の両壁に衝突させ続けることで、内、外槽壁を浄化する目的を達成する槽間浄化付きのスリーブ型洗濯機を公開している。
【０００５】
ところが、上記した洗濯機構成によれば、排水した後で、槽内においてゴムボール或いは柔軟性粒子は自由散布状態にあることによって、高速脱水の過程において極めて大きな騒音が発生してしまうとともに、洗濯機のエネルギー消費が増加され、洗濯機の寿命に影響を及ぼす恐れがある。
【０００６】
また、本出願人は中国出願２０１０１０１６０５４８．４に柔軟性粒子を用いて洗濯機内、外槽の間を洗浄する洗濯機及びその方法を公開しており，当該洗濯機は、洗濯機の内、外槽の間に柔軟性粒子が放置されており，洗濯物を洗浄する過程中の水の規則性流動により柔軟性粒子を洗濯機の内、外槽壁に激突させて摩擦を起こすことで、洗濯機の内、外槽の間を浄化することを実現する。
【０００７】
ところが、上述した洗濯機構成によれば、内槽底の強度を向上させるために、内槽底に多数の補強筋が分布しており、補強筋により内槽底の外部を多数の小さい凹槽に分割し、凹槽が内槽の中心に向かうに従って小さくなっている。しかし、内槽底と外槽底との間の間隙が小さく、かつ長期間使用するため、内、外槽底の間に水流が洗い流しにくく、汚れが多く蓄えられ且つ処理されにくくなっており、洗浄粒子により槽壁を浄化する機能を有する洗濯機において当該内槽底構成を用いることは不適当である。それは、まず、内槽底の補強筋が高く、外槽底との間隙が小さく、洗浄粒子が当該内、外槽底の間に侵入しにくくなっており、水流の動きにつれて侵入した個別の粒子も挟持される或いは凹槽内に制限されて出なくなっており、これにより内、外槽間の粒子が減少して通常の槽壁浄化機能に影響を及ぼしてしまう；そして、補強筋の分布が密集し、且つ構成する凹槽が小さいことにより、水流の動きにつれて内、外槽の底部間壁に侵入した洗浄粒子は、十分な加速度を得て槽壁を衝突することにより槽底間壁を浄化するように小さい凹槽内で粒子運動をすることはできないためである。
【発明の概要】
【発明が解決しようとする課題】
【０００８】
これを鑑みて、本発明を提出する。
【０００９】
本発明が解決しようとする技術問題は、従来技術の不足を克服して、内、外槽の間には洗浄粒子が設けられて槽壁を浄化する機能を有する自己浄化洗濯機を提供する。
【００１０】
本発明の別の目的は、上記自己浄化洗濯機の洗浄粒子が内、外槽の間から脱離することを遮断する離間構造を提供する。
【００１１】
本発明のさらなる目的は、当該自己浄化洗濯機の洗浄粒子を収集する制御方法を提供する。
【課題を解決するための手段】
【００１２】
上記技術問題を解决するために、本発明採用技術方案の基本的な構想は、外槽と、内槽と、波輪と、排水装置とを備え、内槽と外槽との間のチャンバには内外槽内壁及び内槽外壁を浄化する洗浄粒子が設けられている自己浄化洗濯機において、前記洗濯機に洗浄粒子がチャンバから離れることを阻止する離間構造が設けられ、当該離間構造は、排水装置内に設けられて排水時に洗浄粒子が排出されることを遮断する濾過機構、及び／或いは内槽底部に設けられ内槽底から洗浄粒子が内槽に侵入することを遮断する格子機構を備えている自己浄化洗濯機である。
【００１３】
前記離間構造は外槽溢水口に設けられ洗浄粒子が溢水につれて流出することを遮断する濾過格子をさらに備え、前記濾過格子と外槽とは一体射出構成或いは別体式構成であり、好ましくは、濾過格子と外槽は挿脱式構成であり、溢水口両側にソケットが設けられ、濾過格子がソケットに挿入されている；或いは、濾過格子と外槽はクリック構成である。
【００１４】
前記濾過格子は、溢水口にマッチングする筐体と筐体内に設けられるバリア筋とを備えており、バリア筋は両グループに分けられて、両グループのバリア筋の間は洗浄粒子よりサイズが小さい仕切間隙であり、同グループの隣接する両バリア筋の間は洗浄粒子よりサイズが小さいスリットであり、外槽の内側に対応して構成する両グループのバリア筋の濾過面は、バリア筋方向に沿って仕切間隙において他側に凹む円弧面或いは傾斜面である；好ましくは、両グループのバリア筋は対称に設けられる、或いは延出方向に順次交互に設けられる。或いは、濾過格子は横格子や縦格子や濾過網構成である。
【００１５】
前記離間構造は、外槽の上部に設けられてチャンバ環形開口を遮蔽する外槽カバーを備え、外槽カバーは環形開口に対応してチャンバ内の洗浄粒子数量を補充する粒子投入口が設けられている；好ましくは、当該粒子投入口の上には、一つの開閉可能な遮蔽カバーが設けられている。
【００１６】
前記波輪は自己浄化波輪であって、パルセータとパルセータの上表面に設けられる撥水翼とを備えており、撥水翼の頂部には、少なくとも一つの透水穴が設けられて、撥水翼の底部の凹槽空間に対応して通じる；撥水翼はパルセータの縁に近い位置において円周方向に沿って多数の透水穴が分布されており、波輪中心に近い撥水翼の一端には、半径方向に沿って少なくとも二つの透水穴が分布されている。
【００１７】
前記パルセータの下面には、パルセータ補強筋からなる多数の凹槽空間が設けられており、撥水翼の範囲に対応して外部の凹槽空間毎に少なくとも一つの透水穴が設けられて当該凹槽空間の上、下方向に洗い流す水流を形成する。
【００１８】
両撥水翼の間には、鉢式波輪の縁において、円周方向に沿って均一に分布される少なくとも二つの摩擦凸起が設けられる。
【００１９】
前記パルセータの下面には抗菌防カビコーティングが設けられている。
【００２０】
本発明は排水装置をさらに提供しており、当該装置は、排水及び脱水時に排脱水により洗浄粒子を収集することによって、脱水時の洗浄粒子が内、外槽の間で槽壁に激突して騒音を発生しまうことを避けるとともに、洗浄粒子を遮断すると同時に糸屑や、コイン、ボタン等のようなシート状物及び洗浄粒子よりサイズが小さい他の異物を順調に排出することができ、詰りを避けることができるようになっている。
【００２１】
前記排水装置は、脱水時に洗浄粒子を収容し、給水時に前記チャンバに浮かんで槽壁を浄化する洗浄粒子の粒子を浮力によって収納するチャンバ及び排水チャンバを備え、前記濾過機構が粒子収納チャンバ及び排水チャンバの間に設けられている。当該濾過機構は、洗浄粒子を遮断することができるだけではなく、糸屑及び洗浄粒子よりサイズが小さい異物を排出することもできる。
【００２２】
前記濾過機構は洗浄粒子を遮断する多数のストッパ筋を備えており、ストッパ筋は両グループに分けて、両グループのストッパ筋の間は洗浄粒子よりサイズが小さい切り欠きであり、同グループの隣接する両ストッパ筋の間は洗浄粒子よりサイズが小さい濾過間隙であり、粒子収納チャンバ一側に対応して構成する両グループのストッパ筋の濾過面は、切り欠きにおいて他側に凹む円弧面或いは傾斜面であり、濾過面は底部が切断されたＶ字形或いは逆ハ字形に構成されている。切り欠きはストッパ筋に巻回された糸屑をストッパ筋の終端まで摺動させてここから通過させることができるだけではなく、ボタン、コイン等のようなシート状物を通過させることもでき、糸屑詰りの可能性をより一層減少するようになっている。
【００２３】
好ましくは、切り欠きは、ストッパ筋を両グループの対面設置した櫛歯構成に分けており、両グループの櫛歯構成によるストッパ筋は延出線に沿って順次交互に設けられている。当該ストッパ筋が延出線に沿って順次交互に設けられている構成によれば、洗浄粒子のサイズが固定された条件で、隣接する両ストッパ筋の間の距離を大きくしても洗浄粒子の通過を遮断でき、糸屑詰りの可能性をより一層減少するようになっている。
【００２４】
前記両グループ櫛歯構成は上下或いは左右に対面設置であって、その間は横方向或いは縦方向の切り欠きであり、一つのグループの櫛歯構成のストッパ筋延出線ともう一つのグループの櫛歯構成のストッパ筋は縦方向に順次交互に存在しており、両グループの櫛歯構成のストッパ筋が位置する直線が平行し、隣接する両直線間のピッチが同じである。両グループの櫛歯構成の互いに隣接する三つのストッパ筋端部によって、当該三角区域における前記切り欠きの粒子遮断部を構成する。テストから、上下ストッパ筋が対称設置された櫛歯構成と比較すれば、洗浄粒子のサイズ及び切り欠きの大きさがいずれも固定された場合、櫛歯構成毎の隣接する両ストッパ筋の間の距離を一層大きくしても洗浄粒子を通過させることはないと、発見される。
【００２５】
本発明による排水装置は外槽の下方に設けられ、粒子収納チャンバの上壁には外槽底の排水口に通じる貫通口が設けられており、粒子収納チャンバの上壁は周辺から貫通口に向けて斜め上に傾斜する。当該傾斜方向により洗浄粒子が水位につれて上昇して貫通口に向けて浮かんで、さらに排水口を通過して内、外槽の間のチャンバ５内に侵入する。排水及び脱水の過程中に、洗浄粒子が排水水流につれて粒子収納チャンバ内に流入して、再給水時に、洗浄粒子が粒子収納チャンバ水位の上昇につれて上へ浮かんで、洗浄粒子は当該傾斜方向に沿って移動、つまり斜め上に運動してしまうことにより、貫通口内に侵入しやすく、それから排水口を通過して内、外槽の間に侵入するようになっている。
【００２６】
前記粒子収納チャンバの排水チャンバとの反対側には外気に連通する開口が設けられ、開口の上には開閉可能の密封カバーが設けられており、密封カバーの円周内壁は粒子収納チャンバの内部方向に向けて口径が大きくなる円台周壁構造である。
【００２７】
上記構成は、洗濯機の次の給水時に再び給水浮力により洗浄粒子のすべてを内、外槽の間に投与して槽壁を浄化し続いており、採用した傾斜内壁構成により洗浄粒子の再次投与使用をより簡単化して、洗浄粒子浮上不備による詰りを避けて、構成が簡単であるとともに生産装着コストが低いである。
【００２８】
本発明は内槽底部透水チャンネルから洗浄粒子が内槽に侵入することを防止する格子機構をさらに提供し、前記格子機構は、フランジに合わせて内槽底中空区域から洗浄粒子が内槽に侵入することを遮断する遮断カバーを備え、遮断カバーの上には洗浄粒子が通過することを遮断できる通水穴が設けられている。
【００２９】
前記遮断カバーは中空の環形カバーであり、フランジ本体は当該遮断カバーを塞ぐ中空位置に対応し、フランジ本体の直径はｄ、内槽底部中空区域の内径はＤ、遮断カバー内径はｄ１、外径はｄ２とされている場合に、ｄ１≦ｄ＜Ｄ≦ｄ２或いはｄ１≦ｄ＜ｄ２＜Ｄを満足し、且つ内槽底部中空区域の内径Ｄと遮断カバー外径のｄ２の差は、洗浄粒子の大きさが内槽底部中空区域の縁と遮断カバー外縁との間のスリットから通過しないような条件を満足している。
【００３０】
前記遮断カバーは独立した構成であって、内槽底とフランジとの間に介在または接着され、或いは遮断カバーと内槽底は一体構成であり、或いは遮断カバーとフランジは一体構成であり、或いは遮断カバーと内槽底とフランジとの三方は一体構成である。遮断カバーは内、外槽の間の洗浄粒子が内槽に侵入することを防止でき、内、外槽の間の洗浄粒子の減少による槽壁浄化の效果への影響が避けられる。
【００３１】
前記通水穴は直線の長尺スリット構成或いは湾曲した長尺スリット構成である。洗浄水における糸屑のほとんどは糸屑濾過構成により収集されるため、僅かな糸屑が小さく且つ細かい条状に分散されてしまい、そのため、当該通水穴に屑詰りを招くことはない。
前記通水穴は上から下までサイズが小さくなる漏斗構成である。当該構成によってコイン、ボタン等のような異物を通過させることができ、詰りの可能性を減少するとともにここから洗浄粒子が内槽に侵入することを阻止する。
【００３２】
さらに、前記内槽底の外部には、槽底補強筋に囲まれた多数の凹槽が設けられ、槽底補強筋の底部と外槽底との間の間隙は洗浄粒子のサイズより大きく、槽底補強筋に囲まれた凹槽は、少なくとも二つの洗浄粒子、好ましくは２〜５個の洗浄粒子が平置きされるという大きさを有する。すべての凹槽はいずれも、洗浄粒子が水流につれて侵入して運動し、運動加速度を得て内、外槽底間壁に衝突、摩擦して浄化するようになっている。
【００３３】
前記凹槽は、外部槽底補強筋に囲まれた大凹槽と大凹槽において内部槽底補強筋に仕切られた小凹槽とを備え、外部槽底補強筋の高さは内部槽底補強筋の高さより大きく、内部槽底補強筋の高さは５ｍｍ以下である。内槽底は凹槽毎に対応して少なくとも一つの透水通穴が増加されることが好ましく、内、外槽底間壁に付着された汚れが減少されることだけではなく、洗浄粒子の流動性も大きくなって、洗浄粒子が内槽底に引っ掛ることが避けられるようになっている。
【００３４】
本発明による洗浄粒子は水に浮かぶことができ、洗濯機の内、外槽の間で水流につれて内、外槽壁に突き当たり、洗濯物を洗浄する過程において水流により内、外槽壁に洗浄粒子が激突及び摩擦して、洗濯機の内、外槽の間の槽壁の浄化を実現しており、浄化が終了した後、排水装置から洗浄水が排出され、洗浄粒子が排水とともに粒子収納チャンバに流入して収容されることになっている；すすぎ給水或いは次の洗浄再給水時に、給水水位の上昇により排水口を介して粒子収納チャンバから洗浄粒子が浮かんで外槽に入るようになっている。
【００３５】
内、外槽の間で洗浄粒子を放置して内、外槽壁を浄化することは、内槽において内槽に洗浄物が摩擦することにより汚れが付着したり細菌が繁殖したりしないような原理を鑑みることである；洗浄粒子はスポンジ系のものであってもいいし、ゴム或いはプラスチック発泡のもの、例えば発泡ゴム、発泡プラスチック、発泡複合ウレタンであってもよく、その槽壁を洗浄する效果をよりよくするように吸着性を有する材料を採用することがより好ましく、洗浄粒子はある程度の弾性が必要であり、乾燥した状態で水より密度が小さく、水において水が浸透する性質を有し、安価で、且つ多数回使用しても貯留チャンバの開口の密封カバーを直接開けることにより取り出し回収して、その後、新たな洗浄粒子を新たに使用できる。
【００３６】
洗浄粒子はボール状、ブロック状、楕円ボール状、円柱体状、正四面体或いは他の不規則な固まり状粒子のものであり、その個数は３〜５０個で、粒子は水より密度が小さく、かつある程度の弾性及び耐磨性を有する。
【００３７】
本発明は上記自己浄化洗濯機が排水及び脱水時に排水により洗浄粒子を収集する制御方法をさらに提供しており、当該方法は簡単で、粒子を完全に収集することが実現されて、脱水時の洗浄粒子が内、外槽の間で槽壁を激突して騒音を発生しまうことを避ける。
【００３８】
当該方法は、排水過程及び／或いは脱水過程において、内槽が異なる動作を実行するように制御して、洗浄粒子は洗浄水とともに排水口を流れて排水弁に収集される。
【００３９】
排水過程中、内槽は５〜５０ｒ／ｍｉｎという低回転速度で回転するように制御して、内、外槽壁の間に引っ掛った洗浄粒子は内、外槽の間に落下し、外槽中の水とともに排水口を流れて排水弁に収集される。
【００４０】
脱水段階において、内槽が少なくとも一次制動動作を実行するように制御して、内、外槽壁の間に引っ掛った洗浄粒子は内、外槽の間に落下し、洗濯物の排出した水とともに排水口を流れて排水弁に収集される。
【００４１】
脱水段階において、中速で洗濯物を脱水させて洗浄粒子を洗い流して、高速での脱水及び制動を少なくとも一回行って、終了まで最高の回転速度で脱水することを含み、その中、脱水プログラムの総時間により当該段階における各動作の時間配分が決められる。
【００４２】
脱水段階において、設定された給水時間を実行し、水洗水流量を増加して洗浄粒子が排水口を介して排水弁に侵入することを補助する。
【００４３】
上述した脱水段階における具体的なステップは、
ａ、排水が終了した時に、まずは内槽を中速で洗濯物を脱水させ、１０〜６０秒間を稼働させ、或いは中速で２〜５秒間を稼働させて５〜１５秒間停止させるという法則を２〜８回繰り返し、服の水のほとんどを排出して、外槽底部に残した粒子を排水弁まで洗い流す；
ｂ、内槽を高速に加速させた後１０〜２０秒間以内に停止させて、内槽底に引っ掛った粒子を振るい落とす；
ｃ、ステップｂを１〜６回繰り返す；
ｄ、最高の回転速度で脱水させて終了する。
【００４４】
設定値より洗浄服の数が低いと、ステップｃは、５〜１５秒間給水することになり、ステップａを繰り返してステップｂを繰り返す。
【００４５】
脱水段階において、中速は２００〜５００ｒｐｍであり、高速は５００〜７００ｒｐｍであり、最高の回転速度は７００〜１６００ｒｐｍである。
【００４６】
上記した技術方案によれば、従来技術より本発明は以下の有益な效果を有する。
【００４７】
本発明による自己浄化洗濯機は、内、外槽の間のチャンバ内には槽壁を浄化する洗浄粒子が設けられ、洗浄粒子がチャンバから離れることを阻止する離間構造も設けられ、排水装置内に設けられ遮排水時に洗浄粒子が排出されることを遮断する濾過機構、及び／或いは内槽底部に設けられ内槽底から洗浄粒子が内槽に侵入することを遮断する格子機構、及び／或いは外槽溢水口に設けられ洗浄粒子が溢水につれて流出することを遮断する濾過格子を備えている。上記構成が簡単であり、洗浄粒子がチャンバから離れることを効果的に遮断できる。
【００４８】
本発明による排水装置は、内、外槽の間には洗浄粒子が設けられて内、外槽壁を浄化する機能を有する洗濯機に関して、排水時に洗浄粒子を収集することによって、脱水時の洗浄粒子が内、外槽の間で槽壁を激突して騒音を発生しまうことを避けるとともに、給水時に浮力によって洗浄粒子を粒子収納チャンバから再び浮かばせて外槽まで槽壁を浄化させ続ける；排水装置の構成が簡単であるとともにコストが低く、洗浄粒子を収集し阻止する時には糸屑の排放に影響せず、排水詰り及び残した糸屑による細菌繁殖を避ける。
【００４９】
本発明による洗濯機は、内槽底の外部には、洗浄粒子が侵入して水流につれて運動し内、外槽底間壁を浄化する凹槽が設けられていることにより、内、外槽の間の洗浄粒子が内、外槽底間壁を洗浄することができるようになっている。当該構成は簡単であり、内槽底射出過程における補強筋の設計及び分布を変化させることにより、内、外槽底部の間に洗浄粒子が水流につれて運動できる空間を有しており、別に材料のコストを増加する必要がなく、内槽の強度を下げることもない。
【００５０】
本発明による洗濯機は、内槽の底部には遮断カバーが装着されて、内、外槽の間のチャンバにおける洗浄粒子が内槽の底部を通過して内槽に侵入すること防止でき、内、外槽の間の洗浄粒子の減少による内槽外壁と外槽内壁に対する浄化效果への影響が避けられる；遮断カバーに分布された通水穴は、内槽と外槽との間に洗浄水が流通することに影響せず、糸屑による詰りも発生させない；当該構成は簡単であり、コストが低い。
【００５１】
本発明による洗濯機は、洗浄過程において、波輪或いは内槽が正、逆方向に回動し続くため、内、外槽の間の水は内槽における水と交換されて水流を形成することにより、内、外槽の間に放置された洗浄粒子は水を泳いで内、外槽壁に衝突及び摩擦し、同時に水の浸泡の補助によって内、外槽壁及び内槽底部における附着物を取り除いて、根本から汚れが生じることを阻止でき、細菌の繁殖を防ぐことができる。ユーザは、服を洗濯すると同時に内、外槽の浄化を行うこともでき、いつでも洗浄して汚れを残さず、綺麗であるとともに安心できる。
【００５２】
洗浄が完了すると、洗濯機が排水時に内槽を低速で回転させて内、外槽壁の間に引っ掛った洗浄ボールを内、外槽の間に落とさせ、洗浄粒子が水流につれて排水口を流して排水弁に侵入して濾過構成により粒子収納チャンバ内に収集させており、内槽底部に残した洗浄粒子であっても脱水時の内槽の動作の制御により完全収集することが実現でき、脱水時の槽壁への洗浄粒子の激突による騒音が避けられる。
【００５３】
以下は、添付した図により本発明の具体的な実施形態をさらに詳しく説明する。
【図面の簡単な説明】
【００５４】
【図１】本発明による洗濯機の外槽の部分断面図である。
【図２】本発明による外槽構成の模式図である。
【図３】本発明による洗濯機外槽及び内槽の断面図である。
【図４】本発明による波輪構成の模式図である。
【図５】本発明による波輪下面の模式図である。
【図６】本発明による排水装置の模式図である。
【図７】図６において排水装置のＡの矢視図である。
【図８】図７において排水装置のＢ〜Ｂにおける断面模式図である。
【図９】本発明による内槽底と、遮断カバーと、フランジの装着構成の模式図である。
【図１０】本発明による洗濯機の内槽底の実施形態における構成の模式図である。
【図１１】本発明による洗濯機の内槽底の実施形態における構成の模式図である。
【図１２】本発明の実施例による粒子収集制御方法のフロー模式図である。
【図１３】本発明の実施例による粒子収集制御方法のフロー模式図である。
【図１４】本発明の実施例による粒子収集制御方法のフロー模式図である。
【図１５】本発明の実施例による粒子収集制御方法のフロー模式図である。
【発明を実施するための形態】
【００５５】
図１乃至図１１に示しているように、本発明による自己浄化洗濯機は、外槽１と、内槽２と、波輪３と、排水装置４とを備えており、内槽２と外槽１との間のチャンバ５において、浄化外槽内壁及び内槽外壁の洗浄粒子６（図３を参照）が設けられており、前記洗濯機に洗浄粒子がチャンバから離れることを阻止する離間構造が設けられ、当該離間構造は、排水装置４内に設けられて排水時に洗浄粒子が排出されることを遮断する濾過機構７、及び／或いは内槽底部に設けられ内槽底から洗浄粒子が内槽に侵入することを遮断する格子機構８、及び／或いは外槽溢水口１１に設けられ洗浄粒子が溢水につれて流出することを遮断する濾過格子９を備えている。
【実施例１】
【００５６】
図２に示しているように、本実施例に公開されている洗濯機の離間構造は濾過格子を備え、前記濾過格子９は溢水口１１にマッチングする筐体９１と筐体内に設けられるバリア筋９２とを備えており、バリア筋９２は左、右という両グループに分けられて、両グループのバリア筋９２の間は洗浄粒子よりサイズが小さい仕切間隙９３であり、同グループの隣接する両バリア筋の間は洗浄粒子よりサイズが小さいスリット９４であり、外槽１の内側に対応して構成する両グループのバリア筋９２の濾過面は、バリア筋方向に沿って仕切間隙９３において他側に凹む円弧面或いは傾斜面であり、当該構造は、バリア筋に巻回された糸屑がかき回されている水流により溢水チューブ内に押し流されることに貢献する。
さらに、左、右という両グループのバリア筋は対称に設けられる、或いは延出方向に順次交互に設けられる。
【００５７】
本実施例による濾過格子と外槽の間は挿脱式構成であり、溢水口の両側にソケットが設けられ、濾過格子がソケット（図示しない）に挿入されている。或いは、濾過格子と外槽はクリック構成である。
【００５８】
上記濾過格子と外槽との間はいずれも別体式構成であり、本発明による濾過格子と外槽は一体射出構成であってもいいし、本発明の濾過格子は横格子や縦格子や濾過網構成であってもいい。
【実施例２】
【００５９】
図３に示しているように、本実施例による離間構造は、外槽１の上部に設けられて内、外槽の間のチャンバ５の環形開口を遮蔽する外槽カバー１０を備え、当該外槽カバー１０は環形開口に対応してチャンバ内の洗浄粒子数量を補充する粒子投入口１２が設けられている；さらに、当該粒子投入口の上に、一つの開閉可能の遮蔽カバーが設けられてもいい。
【実施例３】
【００６０】
図４及び図５に示しているように、本実施例による波輪３は自己浄化波輪であって、パルセータ３１とパルセータ３１の上表面に設けられる撥水翼３２とを備えており、撥水翼３２の頂部には、少なくとも一つの透水穴３４が設けられて、撥水翼の底部における凹槽空間に対応して通じる；撥水翼３２はパルセータの縁に近い位置において円周方向に沿って多数の透水穴３４が分布されており、波輪中心３５に近い撥水翼の一端には、半径方向に沿って少なくとも二つの透水穴３４が分布されている（図４を参照）。
【００６１】
図５に示しているように、前記パルセータ３１の下面には、パルセータ補強筋からなる多数の凹槽空間３３が設けられており、撥水翼３２の範囲を対応して外部区域凹槽空間３３毎に少なくとも一つの透水穴３６が設けられて当該凹槽空間の上、下方向に洗い流す水流を形成しており、波輪回動の過程中に、凹槽空間内の水流がかき回す強さを大きくしてパルセータの下面洗浄をする。
【００６２】
さらに、前記パルセータの下面には抗菌防カビコーティングが設けられている。
【実施例４】
【００６３】
図６至図８に示しているように、本実施例による洗濯機は排水装置４を備え、当該装置は、排水及び脱水時に排脱水により洗浄粒子を収集することによって、脱水時の洗浄粒子が内、外槽の間で槽壁に激突して騒音を発生してしまうことを避けるとともに、洗浄粒子を遮断する同時に糸屑や、コイン、ボタン等のようなシート状物及び洗浄粒子よりサイズが小さい他の異物を順調に排出することができ、詰りを避けることになっている。
【００６４】
前記排水装置４は、脱水時に洗浄粒子を収容し、給水時に前記チャンバ５に浮かんで槽壁を浄化する洗浄粒子の粒子を浮力によって収納するチャンバ４１及び排水チャンバ４２を備え、前記濾過機構７が粒子収納チャンバ４１及び排水チャンバ４２の間に設けられている。当該濾過機構７は、洗浄粒子を遮断することができるだけではなく、糸屑及び洗浄粒子よりサイズが小さい異物を排出することもできる。
【００６５】
前記濾過機構７は洗浄粒子を遮断する多数のストッパ筋７０を備えており、ストッパ筋７０は両グループに分けて、両グループのストッパ筋７０の間は洗浄粒子よりサイズが小さい切り欠き７１であり、同グループの隣接する両ストッパ筋７０の間は洗浄粒子よりサイズが小さい濾過間隙７２であり、粒子収納チャンバ４１一側に対応して構成する両グループのストッパ筋の濾過面７３は、切り欠き７１において他側に凹む円弧面或いは傾斜面（図８を参照）であり、濾過面７３は底部が切断されたＶ字形或いは逆ハ字形に構成されている。切り欠き７１はストッパ筋に巻回された糸屑をストッパ筋の終端まで摺動させてここから通過させることができるだけではなく、ボタン、コイン等のようなシート状物を通過させることもでき、糸屑詰りの可能性をより一層減少するようになっている。
【００６６】
さらに、図７に示しているように、前記切り欠き７１は、ストッパ筋７０を両グループの対面設置した櫛歯構成に分けており、両グループの櫛歯構成によるストッパ筋は延出線Ｌ１に沿って順次交互に設けられている。当該ストッパ筋が延出線Ｌ１に沿って順次交互に設けられている構成によれば、洗浄粒子のサイズが固定された条件で、隣接する両ストッパ筋の間の距離を大きくしても洗浄粒子の通過を遮断でき、糸屑詰りの可能性をより一層減少するようになっている。
【００６７】
前記両グループ櫛歯構成は上下或いは左右に対面設置であって、その間は横方向或いは縦方向の切り欠きであり、一つのグループの櫛歯構成のストッパ筋延出線Ｌ１ともう一つのグループの櫛歯構成のストッパ筋は縦方向に順次交互に存在しており、両グループの櫛歯構成のストッパ筋が位置する直線が平行し、隣接する両直線間のピッチＬが同じである。両グループの櫛歯構成の互いに隣接する三つのストッパ筋端部によって、当該三角区域における前記切り欠きの粒子遮断部を構成する。テストから、上下ストッパ筋が対称設置された櫛歯構成と比較すれば、洗浄粒子のサイズ及び切り欠きの大きさがいずれも固定された場合、櫛歯構成毎の隣接する両ストッパ筋の間の距離を一層大きくしても洗浄粒子を通過させることはないと、発見される。
【００６８】
本発明による排水装置４は外槽１の下方に設けられ、粒子収納チャンバ４１の上壁には外槽底の排水口に通じる貫通口４３が設けられており、粒子収納チャンバ４１の上壁は周辺から貫通口４３に向けて斜め上に傾斜する。当該傾斜方向により洗浄粒子が水位に従って上昇して貫通口に向けて浮かんで、さらに排水口を通過して内、外槽の間のチャンバ５内に侵入する。排水及び脱水の過程で、洗浄粒子が排水水流につれて粒子収納チャンバ内に流入して、再給水時に、洗浄粒子が粒子収納チャンバ水位の上昇に従って上へ浮かんで、洗浄粒子は当該傾斜方向に沿って移動、つまり斜め上に運動してしまうことにより、貫通口内に侵入しやすく、それから排水口を通過して内、外槽の間に侵入するようになっている。
【００６９】
その中で、図８に示しているように、貫通口４３、粒子収納チャンバ４１、排水チャンバ４２は順次連通してＬ字形の出水通路を構成しており、排水チャンバ４２内には排水弁４４が装着され、排水チャンバ４２の下方には洗濯機排水管に接続する出水口４５が設けられ、出水口４５の上には連通する溢水チューブ接続口４６が設けられており；粒子収納チャンバ４１の排水チャンバ４２との反対側には外気に連通する開口４７が設けられ、開口４７の上には開閉可能の密封カバー４８が設けられており、密封カバー４８の円周内壁は粒子収納チャンバの内部方向に向けて口径が大きくなる円台周壁構造である。
【００７０】
上記構成は、洗濯機の次の給水時に再び給水浮力により洗浄粒子のすべてを内、外槽の間に投与して槽壁を浄化し続いており、採用した傾斜内壁構成により洗浄粒子の再次投与使用をより簡単化して、洗浄粒子浮上不備による詰りを避けて、構成が簡単であるとともに生産装着コストが低い。
【実施例５】
【００７１】
図９に示しているように、一般的に、洗濯機内槽底部２１にはフランジ８１が装着され、フランジ８１と内槽底部の中空区域２０が透水チャンネルを形成しており、本発明は内槽底部透水チャンネルから洗浄粒子が内槽に侵入することを防止する格子機構８をさらに提供し、前記格子機構は、フランジ８１に合わせて内槽底中空区域２０から洗浄粒子が内槽に侵入することを遮断する遮断カバー８０を備え、遮断カバー８０の上には洗浄粒子が通過することを遮断できる通水穴８２が設けられて、当該通水穴８２が透水チャンネルに対応して設けられることが好ましい。
【００７２】
前記通水穴８２は直線の長尺スリット構成或いは湾曲した長尺スリット構成である。洗浄水における糸屑のほとんどは糸屑濾過構成により収集されるため、僅かな糸屑が小さく且つ細かい条状に分散されてしまい、そのため、当該通水穴に屑詰りを招くことはない。さらに、前記通水穴８２は上から下までサイズが小さくなる漏斗構成である。当該構成によってコイン、ボタン等のような異物を通過させることができ、詰りの可能性を減少するとともにここから洗浄粒子が内槽に侵入することを阻止する。
【００７３】
前記遮断カバーは中空の環形カバーであり、フランジ本体は当該遮断カバーを塞ぐ中空位置に対応し、フランジ本体の直径はｄ、内槽底部中空区域の内径はＤ、遮断カバー内径はｄ１、外径はｄ２とされている。
【００７４】
本発明による遮断カバー８０は独立した構成であって内槽底２１とフランジ８１との間に介在や接着され、或いは、遮断カバー８０と内槽底は一体構成であり、或いは遮断カバー８０とフランジ８１は一体構成であり、或いは遮断カバーと内槽底とフランジとの三方は一体構成である。遮断カバーは内、外槽の間の洗浄粒子が内槽に侵入することを防止でき、内、外槽の間の洗浄粒子の減少による槽壁浄化の效果への影響が避けられる。
【００７５】
遮断カバー８０と内槽底部２１とは一体射出成型である場合に、ｄ１≦ｄ＜Ｄ＝ｄ２が満足され、即ち、遮断カバー８０は直径ｄを中心とする区域の外でフランジ８１の隣接する両固定脚８５の間に対応して通水穴８２が設けられる。
【００７６】
前記遮断カバー８０が独立したカバー構成である場合に、遮断カバー外径ｄ２と内槽底部中空区域内径Ｄとは等しく、遮断カバー８０は内槽底部中空区域２０内に嵌合接着している。この時、ｄ１≦ｄ、即ち遮断カバー８０の部分の環形カバーはフランジ本体８４と重なり合い、通水穴８２はフランジ本体８４と重なり合わない環形カバー外部区域に分布されて、フランジ８１の隣接する両固定脚８５の間に対応する。また、遮断カバー外側に係合構成を設けて内槽底部中空区域外側の対応するクリック構造にクリックさせ、例えば、遮断カバーの縁にスロットを設け、内槽底部中空区域側辺には、スロットに合わせる引掛爪を対応して設ける。
【００７７】
前記遮断カバー８０は独立したカバー構成である場合に、当該遮断カバーの外径ｄ２は内槽底部中空区域２０の内径Ｄより大きく、フランジ固定脚８５によってフランジ８１と内槽底部２１との間に介在し、ｄ１≦ｄ＜Ｄ＜ｄ２を満足する。遮断カバー８０の内径ｄ１はフランジ本体８４の直径ｄに等しくてもよく、通水穴８２はフランジ８１の隣接する両固定脚８５の間に対応する遮断カバー８０の区域内に設けられている。或いは、前記遮断カバーを内槽底にさらに装着して再びフランジ取り付けによってフランジと内槽底との間に介在させる。
【００７８】
前記遮断カバー８０の外径ｄ２が内槽底部中空区域２０の内径Ｄより小さい場合に、ｄ１≦ｄ＜ｄ２＜Ｄを満足し、且つ内槽底部中空区域２０の内径Ｄと遮断カバー８０の外径ｄ２との差は、洗浄粒子の大きさが内槽底部中空区域の縁と遮断カバー外縁との間のスリットから通過しないような条件を満足しており、当該遮断カバーが内槽底中空区域２０に設けられ、縁に分布された若干の接続筋によって内槽底部に接続可能であり、或いは接続筋によって内槽底部と直接的に一体射出（図示しない）され、或いは遮断カバーの縁から延出した係合構成によって内槽底部に接続し、或いはフランジに遮断カバーを装着して遮断カバーを中空区域位置に対応させるようにフランジと内槽底部とを固定させる。
【実施例６】
【００７９】
図１０及び図１１に示しているように、本実施例による内槽底２１の外部には、槽底補強筋２２に囲まれた多数の凹槽２３が設けられ、槽底補強筋の底部と外槽底との間の間隙は洗浄粒子のサイズより大きく、槽底補強筋２２に囲まれた凹槽２３は、少なくとも二つの洗浄粒子が平置きされるという大きさを有し、一般的に３〜５個の洗浄粒子が放置されることが可能であればいい。すべての凹槽はいずれも、洗浄粒子が水流につれて侵入して運動し、運動加速度を得て内、外槽底間壁に衝突、摩擦して浄化することになっている。
【００８０】
前記凹槽２３は、外部槽底補強筋２２１に囲まれた大凹槽２３１と大凹槽において内部槽底補強筋２２２に仕切られた小凹槽２３２と（図１０を参照）を備え、外部槽底補強筋２２１の高さは内部槽底補強筋２２２の高さより大きく、内部槽底補強筋の高さは５ｍｍ以下である。内槽底２１は凹槽毎に対応して少なくとも一つの透水通穴２４（図１１を参照）が増加されることが好ましく、内、外槽底間壁に付着した汚れが減少されるだけではなく、洗浄粒子の流動性も大きくなって、洗浄粒子が内槽底に引っ掛ることが避けられるようになっている。
【００８１】
図１１に示しているように、前記凹槽２３は、多段の径向補強筋２２３と多段の円周方向補強筋２２４とに囲まれて環形の内槽底２１下方に分布されている。内槽底２１が円形であるため、隣接する両径向補強筋２２３の間のピッチは円心に近づくに従って小さくなっており、洗浄粒子が十分に運動できる空間の大きさを保証するために、前記凹槽２３を構成する隣接する両径向補強筋２２３の間のなす角は１２°〜３０°であるとともに、径向に沿って隣接する両円周方向補強筋２２４の間のピッチは内槽底半径の１／６〜１／２倍になることが要求されており、好ましくは、内槽底中空区域２０に近づく両円周方向補強筋２２４の間のピッチが最も大きい。
【００８２】
本発明による洗浄粒子は水に浮かぶことができ、洗濯機の内、外槽の間で水流につれて内、外槽壁に突き当たり、洗濯物を洗浄する過程において水流により内、外槽壁に洗浄粒子が激突及び摩擦して、洗濯機の内、外槽の間の槽壁の浄化を実現しており、浄化が終了した後、排水装置から洗浄水が排出され、洗浄粒子が排水とともに粒子収納チャンバに流入して収容されることになっている；すすぎ給水或いは次の洗浄再給水時に、給水水位の上昇により排水口を介して粒子収納チャンバから洗浄粒子が浮かんで外槽に入るようになっている。
【００８３】
内、外槽の間で洗浄粒子を放置して内、外槽壁を浄化することは、内槽において内槽に洗浄物が摩擦することにより汚れが付着したり細菌が繁殖したりしないような原理を鑑みることである；洗浄粒子はスポンジ系のものであってもいいし、ゴム或いはプラスチック発泡のもの、例えば発泡ゴム、発泡プラスチック、発泡複合ウレタンであってもよく、その槽壁を洗浄する效果をよりよくするように吸着性を有する材料を採用することがより好ましく、洗浄粒子はある程度の弾性が必要し、乾燥した状態で水より密度が小さく、水において水が浸透する性質を有し、安価で、且つ多回を使用しても貯留チャンバの開口の密封カバーを直接に開けることにより取り出し回収して、その後、新たな洗浄粒子を新たに使用できる。
【００８４】
洗浄粒子はボール状、ブロック状、楕円ボール状、円柱体状、正四面体或いは他の不規則な固まり状粒子のものであり、その個数は３〜５０個で、粒子は水より密度が小さく、かつある程度の弾性及び耐磨性を有する。
【実施例７】
【００８５】
図１２に示しているように、本実施例は、排水過程において、内槽の回動を制御することによって内、外槽壁の間に引っ掛った洗浄粒子を脱落させて、排水につれて排水弁に収集させることになっている。具体的には、洗浄が完了して排水する際に、内槽を５〜５０ｒ／ｍｉｎ、一般的には１０〜３０ｒ／ｍｉｎという低速で回転させ、内、外槽壁の間に引っ掛った洗浄ボールを内、外槽の間に落下させ、洗浄粒子６が水流につれて排水口を流れて排水装置４に侵入して、濾過機構７に濾過されて粒子収納チャンバ４１に収集される（図８を参照）。
【実施例８】
【００８６】
図１３に示しているように、本実施例は、脱水段階において、まずは中速で脱水させ、洗濯物の排出した水により外槽底部に残した粒子を排水弁まで洗い流して、それから内槽が高速回動及び停止するように制御して、内、外槽壁の間に引っ掛った洗浄粒子を振るい落として排水弁に収集させる。具体的なステップは：
ａ、排水が終了した時に、まずは内槽を中速で洗濯物を脱水させ、１０〜６０秒間を稼働させ、服の水のほとんどを排出して、外槽底部に残した洗浄粒子を排水弁まで洗い流す；
ｂ、内槽を高速で加速させ１０〜２０秒間以内に停止させて、内、外槽壁の間に引っ掛った粒子を振るい落とす；
ｃ、ステップｂを１〜６回繰り返して、好ましくは２〜３回繰り返す；
ｄ、最高の回転速度で脱水させて終了する。
【実施例９】
【００８７】
本実施例と実施例８との違いは、実施例８のステップａにおいて内槽を中速で１０〜６０秒間連続稼働させて洗濯物を脱水する動作の代わりに、内槽を中速で２〜５秒間稼働させて５〜１５秒間停止させることを２〜８回、好ましくは４〜６回繰り返すように制御する運動法則である。
【実施例１０】
【００８８】
本実施例と実施例８或いは実施例９との違いは、ステップａとステップｂとの間に給水して洗い流すステップを増加することであり、具体的には、図１４に示しているように、排水が終了した後、設定された中速脱水時間を実行した後で５〜１５秒間給水をオープンすると同時に脱水を続け、水洗水の流量を増加して、洗浄粒子が排水口を介して排水弁に侵入し洗い流すことを補助する。
【実施例１１】
【００８９】
本実施例は、実施例八或いは実施例９の上で、定格値より洗浄量が低いと、ステップｃは、５〜１５秒間給水することになり、ステップａを繰り返してステップｂを繰り返すというようなステップを追加する。
【実施例１２】
【００９０】
図１５に示しているように、本実施例において、まずは排水過程において、内槽の回動を制御することによって内、外槽壁の間に引っ掛った洗浄粒子を脱落させて、排水とともに排水弁に収集させる（実施例７を参照）；それから、脱水段階において内槽の中、高速回動を制御することによって内、外槽壁の間に引っ掛った洗浄粒子を排水弁に収集させる（実施例８乃至実施例１１を参照）。
【００９１】
上記実施例８乃至実施例１２の脱水段階において、中速は２００〜５００ｒｐｍであり、高速は５００〜７００ｒｐｍであり、最高回転速度は７００〜１６００ｒｐｍである；脱水プログラムの総時間により当該段階における各動作の時間配分が決められる。
上記実施例における実施方案は、さらなる組み合わせ或いは代替を行うことが可能であり、且つ、実施例は本発明の好適な実施例に対する説明だけであり、本発明の構想及び範囲に限定するものではない。本発明の設計思想を離脱しない限りに、当分野における専門技術人員が本発明の技術方案に対して作った各種の変更及び改良は、いずれも本発明の保護範囲に属する。
【図１】
2015523878.tif 000003
【図２】
2015523878.tif 000004
【図３】
2015523878.tif 000005
【図４】
2015523878.tif 000006
【図５】
2015523878.tif 000007
【図６】
2015523878.tif 000008
【図７】
2015523878.tif 000009
【図８】
2015523878.tif 000010
【図９】
2015523878.tif 000011
【図１０】
2015523878.tif 000012
【図１１】
2015523878.tif 000013
【図１２】
2015523878.tif 000014
【図１３】
2015523878.tif 000015
【図１４】
2015523878.tif 000016
【図１５】
2015523878.tif 000017
【国際調査報告】
2015523878.tif 000018
2015523878.tif 000019
2015523878.tif 000020
2015523878.tif 000021
2015523878.tif 000022
2015523878.tif 000023
2015523878.tif 000024
2015523878.tif 000025